(57)【要約】【課題】  フレキシブルプリント配線板の配置のために鏡筒部材の特に径方向の大型化をさせることなくＵターン状の折り返し部を配置して可動筒への電気配線を実現することを可能にするレンズ鏡筒の配線構造を提供することである。【解決手段】  レンズ鏡筒内に配置されるフレキシブルプリント配線板において、可動筒部材の内周面への貼り付け部と、固定筒貼り付け面側に頂点を有する１８０°の折り曲げ部と、鏡筒内周方向にたるみを有するＵターン部と、固定筒内周に固定する固定側貼り付け部と、電気回路基板等に接続される接続部を順に有する構成とし、該固定側貼り付け部を固定する固定筒内周の貼り付け面の可動筒側には、レンズ鏡筒内周方向に該フレキシブルプリント配線板を誘導するガイド面を有する。【選択図】  図１
2013037304.tif 000002
【特許請求の範囲】
【請求項１】
レンズ鏡筒内の固定筒部材と、該固定筒部材の内周側で光軸方向に進退可能に支持された可動筒部材と、一端を該固定筒部材の内周面で固定され、他端を該可動筒部材の内周面に固定されると共に、鏡筒内径側にＵターン状にたるみ部を張り出させて配置されたフレキシブルプリント配線板を有するレンズ鏡筒に於いて、該フレキシブルプリント配線板は、
可動筒部材の内周面への貼り付け部と、固定筒貼り付け面側に頂点を有する１８０°の折り曲げ部と、鏡筒内周方向にたるみを有するＵターン部と、固定筒内周に固定する固定側貼り付け部と、電気回路基板に接続される接続部を順に有する構成であり、該固定側貼り付け部を固定する固定筒内周の貼り付け面の可動筒側には、レンズ鏡筒内周方向に該フレキシブルプリント配線板を誘導するガイド面を有することを特徴とする、レンズ鏡筒内のフレキシブルプリント配線板の保持方法。
【請求項２】
請求項１のレンズ鏡筒に於いて、
該ガイド面は固定筒部材内周面から内側方向に向かう斜面又は曲面であり、固定筒部材内周部に一体的に設けられた突起部に設けられている、ことを特徴とする請求項１に記載のレンズ鏡筒内のフレキシブルプリント配線板の保持方法。
【発明の詳細な説明】
【技術分野】
【０００１】
本発明は、固定筒部材とその内周に配置される可動筒部材と、一端を可動筒部材に固定され、他端を固定筒部材に固定されるフレキシブルプリント配線板を有するレンズ鏡筒の、フレキシブルプリント配線板の保持方法に関するものである。
【背景技術】
【０００２】
従来ズームレンズ鏡筒は一般的であるが、ズーミング等によりレンズ鏡筒の内側で光軸方向にレンズを進退させている。レンズだけでなく電磁絞りやモータ−等のアクチュエータ、又レンズ保持鏡筒の位置検出用のエンコーダ装置などを可動部に配置している。更にレンズ後端のズーミングでも移動しない固定筒に制御用の電気回路基板を配置し、該電磁絞り等と該電気回路基板とを接続するためにフレキシブルプリント配線板を用いることが一般的な技術となっている。
【０００３】
例えば、特許文献１では、ズーミングにより多段繰出しする鏡筒の外周にＦＰＣ配線板を配置し、光軸方向にＵターン状の折り返し部を配置している。これによりＦＰＣ配線板の弛みを発生しにくい構成としてＦＰＣ配線板を径方向内側に膨らませず、他の可動部材との接触をさせない配置としたことが開示されている。
【０００４】
また、フレキシブルプリント配線板の配置としてズーミング等により繰り返し折り曲げ動作になる場所を設けると、フレキシブルプリント配線板で内の導電材およびポリイミド等のフレキシブルプリント材料に疲労亀裂が発生する場合がある。しいては断線、破断を引き起こすことがあり、比較的大きな曲率をもってフレキシブルプリント配線板を屈曲させる上記方法は耐久性の向上に有効である。
【先行技術文献】
【特許文献】
【０００５】
【特許文献１】特許第03381757号明細書
【発明の概要】
【発明が解決しようとする課題】
【０００６】
しかしながら、上述の文献に開示された従来技術では、多重に構成された鏡筒と他鏡筒の間にフレキシブルプリント配線板の直線部および折り返し部を通しているため、弛みが発生しにくい代わりに該鏡筒の径方向の肉厚が取りにくい。そのため鏡筒全体の径方向の大きさが大型化する問題点があった。またＦＰＣ配線板の固定のために複雑な部品構成が必要であった。
【０００７】
そこで本発明の目的は、フレキシブルプリント配線板の配置のために鏡筒部材の特に径方向の大型化をさせることなくＵターン状の折り返し部を配置して可動筒への電気配線を実現することを可能にするレンズ鏡筒の配線構造を提供することである。
【課題を解決するための手段】
【０００８】
レンズ鏡筒内の固定筒部材と、該固定筒部材の内周側で光軸方向に進退可能に支持された可動筒部材と、一端を該固定筒部材の内周面で固定され、他端を該可動筒部材の内周面に固定されると共に、鏡筒内径側に略Ｕターン状にたるみ部を張り出させて配置されたフレキシブルプリント配線板を有するレンズ鏡筒に於いて、該フレキシブルプリント配線板は、可動筒部材の内周面への貼り付け部と、固定筒貼り付け面側に頂点を有する１８０°の折り曲げ部と、鏡筒内周方向にたるみを有するＵターン部と、固定筒内周に固定する固定側貼り付け部と、電気回路基板等に接続される接続部を順に有する構成であり、該固定側貼り付け部を固定する固定筒内周の貼り付け面の可動筒側には、レンズ鏡筒内周方向に該フレキシブルプリント配線板を誘導するガイド面を有することを特徴とする。
【発明の効果】
【０００９】
本発明によれば固定筒部材と可動筒部材間でのフレキシブルプリント配線板のＵターン状の折り返し部を配置することによる鏡筒部材の大型化を行なわずにレンズ鏡筒内の電気配線を実現できる。また繰り返し荷重の集中する箇所を作らないことにより破断・断線を防ぐフレキシブルプリント配線板の配置方法を提供することができる。
【図面の簡単な説明】
【００１０】
【図１】本提案の実施例である、一眼レフカメラに取りつく交換レンズの光軸を含んだ平面で切った断面図であり、ズームはテレ状態を表している。
【図２】本提案の実施例である、一眼レフカメラに取りつく交換レンズの光軸を含んだ平面で切った断面図であり、ズームはミドル状態を表している。
【図３】本提案の実施例である、一眼レフカメラに取りつく交換レンズの光軸を含んだ平面で切った断面図であり、ズームはワイド状態を表している。
【発明を実施するための形態】
【００１１】
以下に、本発明の好ましい実施の形態を、図１を参照して、本発明の第1の実施例による、交換レンズ鏡筒の必要構成及び動作について説明する。
【００１２】
［実施例］
図１において、１は１眼レフカメラ本体と着脱可能に取り付けるためのレンズマウントである。２は本体筒であり、該マウント１をマウント固定ビス３にて固定している。４はズーム操作環であり、周方向に延びた周溝４ａを有し、ズームコロ５が該本体筒２のズームコロ止め穴２ｂに固定されるとともに該周溝４ａと係合し、該ズーム操作環４は該本体筒２の外周で回転可能に支持されている。Ｌ１は前群レンズ、Ｌ２は後群レンズであり、Ｌ１及びＬ２が光軸方向に移動することでレンズ系全体の焦点距離が変化し、ズーミングが行なわれる。６は前群レンズ保持鏡筒であり、該前群レンズＬ１を保持する。７は後群レンズ保持鏡筒であり、該後群レンズＬ２を保持する。８は前群ズーム鏡筒であり、該本体筒２の内周に径勘合すると共に、該本体筒２に設けられた光軸方向に延びた直進ガイド溝２ｃと該前群ズーム鏡筒８の外周に設けられたコロ部８ａが係合して該前群ズーム鏡筒８を光軸方向に移動可能に支持している。
【００１３】
更にコロ部８ａは該ズーム操作環４の内周に設けられた前群カム溝４ｂにも係合しており、該前群カム溝４ｂの形状により該ズーム操作環４の光軸周りの回転に対し該前群ズーム鏡筒８を光軸方向へ移動させる。該前群ズーム鏡筒８の内周にはメス・ヘリコイド歯８ｂが設けられ、該前群レンズ保持鏡筒６に設けられたオス・ヘリコイド歯６ａとネジ結合することで、該前群ズーム鏡筒の光軸方向移動と一緒に移動する。また該前群ズーム鏡筒８に対し該前群レンズ保持鏡筒が光軸周りに回転すると、該ヘリコイド部でのネジ結合により該１群レンズ保持鏡筒６は光軸周りに回転しながら光軸方向へ繰出し又は繰り込み動作が可能である。該前群レンズ保持鏡筒の回転繰出し動作はフォーカスピント合わせに相当している。
【００１４】
上記のような２群光学系タイプのレンズ鏡筒は、ワイドからテレへのズーミングにより、前玉はミドル位置で最もカメラ側に近づきテレでワイドと同じ位の位置となる。後玉はカメラ側から離れる方向へ移動する。また、前玉のみを光軸方向に移動させることによりピント位置の調整を行なう。このような各レンズの移動が一般的である。
【００１５】
９及び１０は上記フォーカスピントの状態、すなわち該前群ズーム鏡筒８と該前群保持鏡筒６との位置関係を検出するためのフォーカスブラシ９及びフォーカスエンコードパターンＦＰＣ１０である。該フォーカスブラシ９は取付面９ａにて前群保持鏡筒６のフォーカスブラシ取付け面６ｂ部にビス等で固定される。該フォーカスエンコードパターンＦＰＣは該前群ズーム鏡筒８のＦＰＣ貼り付け面８ｃ面に両面テープ等で貼り付け固定されている。上述のフォーカス時の作動により該フォーカスブラシ９はブラシ先端部９ｂ部を該フォーカスエンコードパターンＦＰＣのエンコードパターン面１０ａと接触・摺動する。
【００１６】
１１は本交換レンズ鏡筒の電気回路実装基板であり、不図示であるが本体筒２に固定されている。該電気回路実装基板１１上にはコネクタ１１ａが実装されており、該フォーカスエンコードパターンＦＰＣの一端であるコネクタ接続部１０ｇが挿入される。該フォーカスブラシ９の位置変化を、該電気回路実装基板１１上の不図示のマイコンに伝達し、制御等に利用している。
【００１７】
次に、該フォーカスエンコードパターンＦＰＣ１０について説明する。該フォーカスエンコードパターンＦＰＣ１０は、エンコードパターン面１０ａ部が該１群ズーム前群ズームの８ｃ部に貼り付け固定される。その先にマウント側に配線パターンを引き出し、１０ｂ部にて内周側に１８０°折り曲げられる。１０ｂ部はＦＰＣ押え部８ｄにより押えられ固定される。その先に内周側に凸となるＲ曲げ部１０ｃが設けられ、ガイド曲げ部１０ｄを介して本体筒貼り付け部１０ｅ部にて本体筒内周面２ｄ部に両面テープ等により固定されている。更に引き出し部１０ｆ部で本体筒内周に沿って引き出され、コネクタ接続部１０ｇにより該電気回路実装基板上のコネクタ１１ａに挿入されている。途中のガイド曲げ部１０ｄには本体筒内周より突出したガイド部２ｅに沿って曲げられている。ガイド部２ｅは２ｄ面からなだらかに変化する斜面又は曲面を有し、当接するガイド曲げ部１０ｄ部を緩やかな曲率を持たせてレンズ内周方向へ導く役割を果たしている。
【００１８】
以上の構成にてズーミング作動した場合の該レンズ鏡筒の断面図を図２及び図３に示す。図１はズームのテレ状態であるが、図２ではズーミング途中のミドル状態、図３はワイド状態を表している。特にミドル状態では該１群ズーム前群ズームが最もマウント側に移動した状態であるが、Ｒ曲げ部１０ｃ部が緩やかな曲率で内周方向に広がることでフォーカスエンコードパターンＦＰＣ１０への曲げ応力の集中を無くしている。且つ鏡筒部品への該フォーカスエンコードパターンＦＰＣ１０配置による切り欠きや薄肉化を行なわずに配置可能とすることができた。
【００１９】
また、２ｅのガイド部の斜面の傾きは１群ズーム前群ズーム８が最もマウントから離れた位置でのＦＰＣの傾きとすることによって真直ぐな自然状態のＦＰＣに対し片方向のみの緩やかな曲げ形状となり、ＦＰＣの疲労破壊に対し有利に支持することが可能である。
【００２０】
以上、本発明の好ましい実施形態について説明したが、本発明はこれらの実施形態に限定されず、その要旨の範囲内で種々の変形及び変更が可能である。
【００２１】
カメラ、ビデオ等のレンズ鏡筒において、ズーム及びフォーカス等により光軸方向に駆動される可動群に電気配線を行なう際に利用可能である。また、繰り返しの曲げ動作の発生するＦＰＣの耐久性の求められる場合に本提案が有効な手段となる。
【符号の説明】
【００２２】
１・・レンズマウント
２・・本体筒
２ａ・・マウント取付け面
２ｂ・・ズームコロ止め穴
２ｃ・・直進ガイド溝
２ｄ・・内周面
２ｅ・・ガイド部
３・・マウント固定ビス
４・・ズーム操作環
４ａ・・周溝
４ｂ・・前群カム溝
５・・ズームコロ
６・・前群保持鏡筒
６ａ・・オス・ヘリコイド歯
６ｂ・・フォーカスブラシ取付け面
７・・後群保持鏡筒
８・・前群ズーム鏡筒
８ａ・・コロ部
８ｂ・・メス・ヘリコイド歯
８ｃ・・ＦＰＣ貼り付け面
８ｄ・・ＦＰＣ押え部
９・・フォーカスブラシ
９ａ・・取付面
９ｂ・・ブラシ先端部
１０・・フォーカスエンコードパターンＦＰＣ
１０ａ・・エンコードパターン面
１０ｂ・・１８０°折り曲げ部
１０ｃ・・Ｒ曲げ部
１０ｄ・・ガイド曲げ部
１０ｅ・・本体筒貼り付け部
１０ｆ・・引き出し部
１０ｇ・・コネクタ接続部
１１・・電気回路実装基板
１１ａ・・コネクタ
Ｌ１・・前群レンズ
Ｌ２・・後群レンズ
【図１】
2013037304.tif 000003
【図２】
2013037304.tif 000004
【図３】
2013037304.tif 000005